(57)【要約】      （修正有）【課題】ダンパ機能に加え、長期に渡り測定用テープの裏面に付着しているごみを自動で取り除くことができる巻尺用ダンパを提供する。【解決手段】測定用テープ先端に有する係止片の衝突エネルギ緩衝用の巻尺用ダンパ１において、線材からなる受止バー体２と、螺旋体４であって、該螺旋体４が回転可能となるよう該螺旋体４における螺旋部６の内空に受止バー体２が貫通している、螺旋体４とを備えていることを特徴とする巻尺用ダンパ１を提示する。さらには、この巻尺用ダンパ１を備える巻尺を提示する。【選択図】図１
0003215151.tif 000002
【実用新案登録請求の範囲】
【請求項１】
測定用テープ先端に有する係止片の衝突エネルギ緩衝用の巻尺用ダンパにおいて、
線材からなる受止バー体と、
螺旋体であって、該螺旋体が回転可能となるよう該螺旋体における螺旋部の内空に上記受止バー体が貫通している、螺旋体と、
を備えていることを特徴とする巻尺用ダンパ。
【請求項２】
上記受止バー体の線材が円形の断面形状を有することを特徴とする請求項１に記載の巻尺用ダンパ。
【請求項３】
上記螺旋体は、線材から形成されていることを特徴とする請求項１に記載の巻尺用ダンパ。
【請求項４】
上記螺旋体の線材が円形の断面形状を有することを特徴とする請求項３に記載の巻尺用ダンパ。
【請求項５】
上記螺旋体は、コイルスプリングからなることを特徴とする請求項１に記載の巻尺用ダンパ。
【請求項６】
上記螺旋部のピッチ間に隙間を有することを特徴とする請求項１に記載の巻尺用ダンパ。
【請求項７】
上記受止バー体は、これが装着されるべき巻尺の測定用テープの短手方向の湾曲形状に対応させて湾曲形状になっていることを特徴とする請求項１に記載の巻尺用ダンパ。
【請求項８】
自動巻き取り式の巻尺であって、請求項１〜６のいずれかに記載の巻尺用ダンパが、上記巻尺のケースの測定用テープ出入口に設けられており、
上記巻尺用ダンパの受止バー体は、測定用テープの裏面側に且つ測定用テープを横断するように設けられていることを特徴とする巻尺用ダンパ。
【請求項９】
上記受止バー体は、上記測定用テープの短手方向の湾曲形状に対応するよう湾曲形状に形成されていることを特徴とする請求項８に記載の巻尺用ダンパ。
【考案の詳細な説明】
【技術分野】
【０００１】
本考案は、測定用テープをケース内に巻き取ったとき、該測定用テープ先端に備える係止片の衝突エネルギを緩和するための巻尺用ダンパに関し、詳しくは、ダンパ機能に加え、自動で測定用テープの裏面に付着しているごみを取り除くことができる巻尺用ダンパに関する。
【背景技術】
【０００２】
巻尺の測定用テープの裏面は、現場作業で生じた種々のごみが付着してしまうことがあり、例えば、屋外で使用している巻尺の測定用テープの裏面には砂塵等の付着が多く、屋内で使用している巻尺の測定用テープの裏面には木くず等の付着が多い。
【０００３】
そして、巻尺の多くは自動巻き取り式であることから、測定を終えたと同時にすかさず測定用テープを巻尺のケース内に巻き取らせてしまうため、測定用テープの裏面にごみが付着していても、使用者がこのごみに気づくことなく測定用テープはケース内に巻き取られる。
【０００４】
上述の対策として、従来は、巻尺ケースの測定用テープの出入口にブラシを設置して、ケース内に巻き取られる測定用テープの裏面に付着しているごみを払い落すようにしていたが、巻尺の携帯状態や保管状態により直ぐにブラシに曲り癖がついたり、またブラシの摩耗等によってごみを払い落せなくなっていた。このことから、ブラシでごみを払い落せるようにした巻尺は、現在では市販されていない。
【０００５】
ところで、ごみが裏面に付着したまま測定用テープがケース内に巻き取られて回転ドラムに巻回されると、ごみが裏面に付着している測定用テープは、上層および下層に位置する測定用テープによる強い圧迫によってごみが測定用テープの裏面に強く押し付けられ、測定用テープの裏面に張り付いてしまうのである。
【０００６】
上述のごみの張り付きによる弊害の一例としては、巻尺の使用時に、測定用テープがケース内から引き出されまた巻き取られて回転ドラムに巻回されることが続くと繰り返されると、回転ドラムに巻回されたときにごみと接触する下層に位置する測定用テープの表面のコーティング層が削られ、さらに進行すると次は測定用目盛が削られて見難くなったり、また消えてしまうことがある。特に、ごみが砂塵等である場合、極めて早くに測定用目盛が見難くなったり、また消えてしまうことがある。
【先行技術文献】
【特許文献】
【０００７】
【特許文献１】特開２００４−２５７７４７号公報
【考案の概要】
【考案が解決しようとする課題】
【０００８】
本考案は、ダンパ機能に加え、長期に渡り測定用テープの裏面に付着しているごみを自動で取り除くことができる巻尺用ダンパを提供することを目的とする。
【課題を解決するための手段】
【０００９】
本考案の巻尺用ダンパの実施例においては、測定用テープ先端に有する係止片の衝突エネルギ緩衝用の巻尺用ダンパにおいて、線材からなる受止バー体と、螺旋体であって、該螺旋体が回転可能となるよう該螺旋体における螺旋部の内空に上記受止バー体が貫通している、上記螺旋体と、を備えていることを特徴とする。
【００１０】
また一実施例においては、受止バー体の線材が円形の断面形状を有することを特徴とする。
【００１１】
また一実施例においては、螺旋体は、線材から形成されていることを特徴とする。
【００１２】
また一実施例においては、螺旋体の線材が円形の断面形状を有することを特徴とする。
【００１３】
また一実施例においては、螺旋体は、コイルスプリングからなることを特徴とする。
【００１４】
また一実施例においては、螺旋部のピッチ間に隙間を有することを特徴とする。
【００１５】
また一実施例においては、受止バー体は、これが装着されるべき巻尺の測定用テープの短手方向の湾曲形状に対応させて湾曲形状になっていることを特徴とする。
【００１６】
上述した巻尺用ダンパを備える巻尺は、自動巻き取り式の巻尺であって、巻尺用ダンパが、上記巻尺のケースの測定用テープ出入口に設けられており、上記巻尺用ダンパの受止バー体は、測定用テープの裏面側に且つ測定用テープを横断するように設けられていることを特徴とする。
【００１７】
また一実施例においては、受止バー体は、上記測定用テープの短手方向の湾曲形状に対応するよう湾曲形状に形成されていることを特徴とする。
【図面の簡単な説明】
【００１８】
【図１】本考案に係る巻尺用ダンパの一実施例を示す図。
【図２】図１のＡ−Ａ端面図。
【図３】図１の一点鎖線内の拡大図。
【図４】螺旋体の断面図。
【図５】巻尺に設けられた巻尺用ダンパの一実施例を示す図。
【図６】巻尺に設けられた巻尺用ダンパの一実施例を示す図。
【図７】図６の一点鎖線内の拡大図。
【図８】図５の一点鎖線内の拡大図。
【考案を実施するための形態】
【００１９】
本考案の巻尺用ダンパについて、添付の図面を参照しつつ説明する。なお、巻尺用ダンパは、自動巻き取り式の巻尺において、測定用テープをケース内に巻き取ったとき、測定用テープ先端に有する係止片の衝突エネルギを緩和するためにケースの測定用テープ出入口に設けられる緩衝装置である。
【００２０】
図１は、巻尺用ダンパの一実施例である。巻尺用ダンパ１は、線材からなる受止バー体２と、螺旋体４とを備えており、上記螺旋体４は、該螺旋体４の螺旋部６の内空８（図２参照）に上記受止バー体２が貫通している。なお、受止バー体２また螺旋体４は、金属または金属以外の高強度素材で形成すればよい。
【００２１】
また、本実施例に示した巻尺用ダンパ１は、受止バー体２の両端寄りが折返し形成（折返し部１０）されている。
【００２２】
そして、受止バー体２に設けられている螺旋体４は、回転可能となるように受止バー体２に設けられている。なお、具体的には、図２に示すように、螺旋体４の螺旋部６と受止バー体２との間に遊び１２を有するように構成するのがよい。しかしながら、螺旋体４が回転可能であれば、上記遊び１２は受止バー体２上の螺旋部６の全域に生じなくてもよい。すなわち、受止バー体２上の螺旋部６の一部と該受止バー体２との間に遊び１２が生じていることである。さらには、螺旋体４が回転可能であれば、受止バー体２上の螺旋部６の全域に遊び（遊び１２）がなくてもよい。なお、受止バー体２は、螺旋体４がスムースに回転できるよう円形の断面形状を有する線材を用いるのが望ましい。
【００２３】
また螺旋体４は、図３に示すように、除去したごみが落下し易くなるよう螺旋部６のピッチを、隙間を有したピッチにするのが望ましい。さらに螺旋体４は、図４に示すように、受止バー体２上を回転するときの接触抵抗の低減およびスムースに回転できるよう円形の断面形状を有する線材を用いるのが望ましい。なお、コイルスプリング部材を用いてもよい。他にも、受止バー体に複数の螺旋体を配してもよい。
【００２４】
図５は、巻尺１４（ニ点鎖線で作図）に設けられた巻尺用ダンパ１の一実施例を示した図であり、巻尺１４の測定用テープ出入口１６を正面から見ている。巻尺用ダンパ１は、受止バー体２の両端寄りの折返し部１０が巻尺１４の左右ハーフケース１８および２０に形成されている窪部２２に嵌着されることで固定されている。そして、この受止バー体２は、測定用テープ２４の裏面２６側に且つ測定用テープ２４を横断するように設けられている。なお、上記受止バー体２は、測定用テープ２４の短手方向の湾曲形状に対応するよう湾曲形状に形成されている。
【００２５】
図６は、測定用テープ出入口１６を側面から見ている図であり、本図は、測定用テープ２４がケース内に巻き取られている状態を示している。測定用テープ２４がケース内に巻き取られているときは、該測定用テープ２４が短手方向に湾曲した形状であるため、測定用テープ２４は自動的に巻尺用ダンパ１の受止バー体２上に押し付けられた状態でケース内に巻き取られる。すなわち、測定用テープ２４は受止バー体２に設けられている螺旋体４の螺旋部６上に押し付けられて巻き取られる。そして、受止バー体２に測定用テープ２４の先端の係止片２８が衝突して測定用テープ２４が停止する。なお、図７は、図６の一点鎖線内の拡大図である。
【００２６】
本巻尺用ダンパ１によれば、ごみが測定用テープ２４の裏面２６に付着したまま巻き取られてしまった場合でも、上述したように測定用テープ２４は自動的に巻尺用ダンパ１の受止バー体２に有する螺旋体４の螺旋部６上に押し付けられて巻き取られるため、付着しているごみが螺旋部６によって掻き落とされる。
【００２７】
また、螺旋体４は自由に受止バー体２上を回転できるので、該螺旋体４の螺旋部６上に押し付けられて巻き取られていく測定用テープ２４によって回転する。この回転は、図５の一点鎖線内を拡大した図８に示すように、螺旋体４の螺旋部６があたかも測定用テープ２４の短手方向の矢印Ａ方向に移動しているかのように見掛け上の動きをする（ウォームギヤが回転しているとき見える動きと同じ）。この回転により、測定用テープ２４の裏面２６に付着したごみはしっかりと掻き落とされる。万一、測定用テープ２４の裏面２６にごみが付着したままケース内に巻き取られてしまった場合でも、次に測定用テープ２４を引き出したときやこの引き出した測定用テープ２４が巻き取られるときにごみは掻き落とされる。そして、掻き落とされたごみが螺旋部６と受止バー体２との間に入り込んだ場合でも、ごみは回転する螺旋部６によって該螺旋部６の端部（本実施例では螺旋部６の端部は螺旋体４の端部である）に運ばれて該端部から外部に落ちる。なお、螺旋体４の螺旋部６の巻方向により、見掛けの動きは矢印Ａ方向と反対になる。
【符号の説明】
【００２８】
１…巻尺用ダンパ
２…受止バー体
４…螺旋体
６…螺旋部
８…内空
１０…折返し部
１２…遊び空間
１４…巻尺
１６…測定用テープ出入口
１８…ハーフケース
２０…ハーフケース
２２…窪部
２４…測定用テープ
２６…裏面
２８…係止片
【図１】
0003215151.tif 000003
【図２】
0003215151.tif 000004
【図３】
0003215151.tif 000005
【図４】
0003215151.tif 000006
【図５】
0003215151.tif 000007
【図６】
0003215151.tif 000008
【図７】
0003215151.tif 000009
【図８】
0003215151.tif 000010